(57)【特許請求の範囲】
【請求項１】
レジスターおよび貨幣精算装置を有するレジユニットが複数設けられたレジシステムにおいて、
前記複数のレジユニットは、親ユニットおよび子ユニットからなり、
前記親ユニットの貨幣精算装置は、
筐体と、
前記筐体内に設置され、特定の権限を有する者のみが内部にアクセスすることができる金庫と、
前記金庫内に配置された貨幣収納部と、
を有し、
前記親ユニットの貨幣精算装置のみ前記金庫を有することを特徴とするレジシステム。
【請求項２】
前記親ユニットの貨幣精算装置における貨幣の収納量は、前記子ユニットの貨幣精算装置における貨幣の収納量よりも大きくなっていることを特徴とする請求項１記載のレジシステム。
【請求項３】
レジスターおよび貨幣精算装置を有するレジユニットが複数設けられたレジシステムにおいて、
前記複数のレジユニットは、親ユニットおよび子ユニットからなり、
前記親ユニットは前記子ユニットに対して、前記親ユニットの貨幣精算装置に収納された貨幣を前記子ユニットの貨幣精算装置に補充する補充処理、および前記子ユニットの貨幣精算装置に収納された貨幣を回収して前記親ユニットの貨幣精算装置に収納する回収処理を行うようになっていることを特徴とするレジシステム。
【請求項４】
前記親ユニットおよび前記子ユニットにそれぞれ通信接続され、前記親ユニットの貨幣精算装置の在高および前記子ユニットの貨幣精算装置の在高をそれぞれ管理する管理装置を更に備えたことを特徴とする請求項１乃至３のいずれか一項に記載のレジシステム。
【請求項５】
前記親ユニットは銀行のＡＴＭ網に通信接続されていることを特徴とする請求項１乃至４のいずれか一項に記載のレジシステム。
【請求項６】
前記親ユニットの貨幣精算装置から貨幣が出金される際に、貨幣の出金情報が前記親ユニットから銀行のＡＴＭ網に送信されるようになっていることを特徴とする請求項５記載のレジシステム。
【請求項７】
前記親ユニットの貨幣精算装置に収納された貨幣を前記子ユニットの貨幣精算装置に補充する補充処理が行われる際に、前記親ユニットの貨幣精算装置から出金された貨幣の出金情報が前記親ユニットから銀行のＡＴＭ網に送信されるようになっていることを特徴とする請求項５または６記載のレジシステム。
【請求項８】
前記子ユニットの貨幣精算装置に収納された貨幣を回収して前記親ユニットの貨幣精算装置に収納する回収処理が行われる際に、前記親ユニットの貨幣精算装置に入金された貨幣の入金情報が前記親ユニットから銀行のＡＴＭ網に送信されるようになっていることを特徴とする請求項５乃至７のいずれか一項に記載のレジシステム。
【請求項９】
前記親ユニットの貨幣精算装置に収納された貨幣は、銀行の管理権限下にあることを特徴とする請求項１乃至８のいずれか一項に記載のレジシステム。
【発明の詳細な説明】
【技術分野】
【０００１】
本発明は、レジスターおよび貨幣精算装置を有するレジユニットが複数設けられたレジシステムに関する。
【背景技術】
【０００２】
スーパーマーケットやコンビニエンスストア等の店舗において、ＰＯＳ（Point-of-sales）レジスターおよび貨幣精算装置を有するレジユニットが複数設けられたレジシステムが設置されている。ここで、貨幣精算装置として、例えば、紙幣釣銭機および硬貨釣銭機からなる貨幣釣銭機が用いられるようになっている。また、従来から、複数のレジユニットのうち一のレジユニットを親ユニットとして扱うとともに他のレジユニットを子ユニットとして扱うような親子式のレジシステムが知られている。例えば、特許文献１には、複数の電子式キャッシュレジスターやＰＯＳレジスターを店舗に設置し、子機（スレーブ）のレジスターを親機（マスター）のレジスターに通信接続し、子機のレジスターにおいて用いられるデータを親機のレジスターにより管理する方法が開示されている。また、特許文献２には、ＰＯＳ端末としてのスレーブ機および当該スレーブ機に通信接続されたマスター機をそれぞれ設け、売上データをタンキングデータとしてマスター機で一括管理して効率的な運用を行うＰＯＳシステムが開示されている。
【先行技術文献】
【特許文献】
【０００３】
【特許文献１】特許第２７１５１７４号
【特許文献２】特開平１１−１１０６４８号公報
【発明の概要】
【発明が解決しようとする課題】
【０００４】
ところで、レジユニットが複数設けられたレジシステムでは、全てのレジユニットの貨幣精算装置における貨幣収納部をセキュリティ性の高い金庫内に設置した場合には、このような金庫は設置するのに費用がかかるため、システム全体としてコストアップにつながるという問題がある。
【０００５】
また、従来のレジシステムでは、複数のレジユニットのうち一のレジユニットを親ユニットとして扱うとともに他のレジユニットを子ユニットとして扱った場合でも、貨幣精算装置が用いられるレジユニットではなく、ドロアで現金を管理するレジユニットであるため、親ユニットと子ユニットとの間で、親ユニットの貨幣精算装置に収納された貨幣を子ユニットの貨幣精算装置に補充する補充処理や、子ユニットの貨幣精算装置に収納された貨幣を回収して親ユニットの貨幣精算装置に収納する回収処理は行われていなかった。このため、親子式のレジシステムでも、店舗の営業開始前における各貨幣精算装置に対する釣銭の補充作業や、店舗の営業終了後における各貨幣精算装置からの貨幣の回収作業を効率的に行うことができないという問題があった。
【０００６】
本発明は、このような点を考慮してなされたものであり、親ユニットの貨幣精算装置の貨幣収納部のみを、特定の権限を有する者のみが内部にアクセスすることができる金庫内に配置することにより、全ての貨幣精算装置の貨幣収納部を金庫内に配置する場合と比較してコストを低減することができるとともに、閑散期には主に親ユニットの貨幣精算装置で精算処理を行うことにより安全な貨幣処理を行うことができるレジシステムを提供することを目的とする。また、本発明の他の目的は、親ユニットが子ユニットに対して補充処理や回収処理を行うことにより、店舗の営業開始前における各貨幣精算装置に対する釣銭の補充作業や、店舗の営業終了後における各貨幣精算装置からの貨幣の回収作業を効率的に行うことができるレジシステムを提供することにある。
【課題を解決するための手段】
【０００７】
本発明のレジシステムは、レジスターおよび貨幣精算装置を有するレジユニットが複数設けられたレジシステムにおいて、前記複数のレジユニットは、親ユニットおよび子ユニットからなり、前記親ユニットの貨幣精算装置は、特定の権限を有する者のみが内部にアクセスすることができる金庫内に配置された貨幣収納部を有することを特徴とする。
【０００８】
このようなレジシステムによれば、親ユニットの貨幣精算装置の貨幣収納部のみを、特定の権限を有する者のみが内部にアクセスすることができる金庫内に配置することにより、全ての貨幣精算装置の貨幣収納部を金庫内に配置する場合と比較してコストを低減することができる。また、閑散期には主に親ユニットの貨幣精算装置で精算処理を行うことにより、顧客から受け取った紙幣を安全に管理することができる。
【０００９】
本発明のレジシステムにおいては、前記親ユニットの貨幣精算装置における貨幣の収納量は、前記子ユニットの貨幣精算装置における貨幣の収納量よりも大きくなっていてもよい。
【００１０】
本発明の他のレジシステムは、レジスターおよび貨幣精算装置を有するレジユニットが複数設けられたレジシステムにおいて、前記複数のレジユニットは、親ユニットおよび子ユニットからなり、前記親ユニットは前記子ユニットに対して、前記親ユニットの貨幣精算装置に収納された貨幣を前記子ユニットの貨幣精算装置に補充する補充処理、および前記子ユニットの貨幣精算装置に収納された貨幣を回収して前記親ユニットの貨幣精算装置に収納する回収処理を行うようになっていることを特徴とする。
【００１１】
このようなレジシステムによれば、親ユニットが子ユニットに対して補充処理や回収処理を行うことにより、店舗の営業開始前における子ユニットの各貨幣精算装置に対する釣銭の補充作業や、店舗の営業終了後における子ユニットの各貨幣精算装置からの貨幣の回収作業を効率的に行うことができる。
【００１２】
本発明のレジシステムにおいては、前記親ユニットおよび前記子ユニットにそれぞれ通信接続され、前記親ユニットの貨幣精算装置の在高および前記子ユニットの貨幣精算装置の在高をそれぞれ管理する管理装置を更に備えていてもよい。
【００１３】
本発明のレジシステムにおいては、前記親ユニットは銀行のＡＴＭ網に通信接続されていてもよい。
【００１４】
この際に、前記親ユニットの貨幣精算装置から貨幣が出金される際に、貨幣の出金情報が前記親ユニットから銀行のＡＴＭ網に送信されるようになっていてもよい。
【００１５】
また、前記親ユニットの貨幣精算装置に収納された貨幣を前記子ユニットの貨幣精算装置に補充する補充処理が行われる際に、前記親ユニットの貨幣精算装置から出金された貨幣の出金情報が前記親ユニットから銀行のＡＴＭ網に送信されるようになっていてもよい。
【００１６】
また、前記子ユニットの貨幣精算装置に収納された貨幣を回収して前記親ユニットの貨幣精算装置に収納する回収処理が行われる際に、前記親ユニットの貨幣精算装置に入金された貨幣の入金情報が前記親ユニットから銀行のＡＴＭ網に送信されるようになっていてもよい。
【００１７】
本発明のレジシステムにおいては、前記親ユニットの貨幣精算装置に収納された貨幣は、銀行の管理権限下にあるようになっていてもよい。
【発明の効果】
【００１８】
本発明のレジシステムによれば、全ての貨幣精算装置の貨幣収納部を金庫内に配置する場合と比較してコストを低減することができるとともに、閑散期には主に親ユニットの貨幣精算装置で精算処理を行うことにより安全な貨幣処理を行うことができる。
【００１９】
また、本発明の他のレジシステムによれば、親ユニットが子ユニットに対して補充処理や回収処理を行うことにより、店舗の営業開始前における各貨幣精算装置に対する釣銭の補充作業や、店舗の営業終了後における各貨幣精算装置からの貨幣の回収作業を効率的に行うことができる。
【図面の簡単な説明】
【００２０】
【図１】本発明の実施の形態によるレジシステムの構成の概略を示す上面図である。
【図２】図１等に示すレジシステムの概略的な機能ブロック図である。
【図３】図１等に示すレジシステムの親ユニットにおける紙幣入出金機の内部構成を示す側面図である。
【図４】図１等に示すレジシステムの子ユニットにおける紙幣入出金機の内部構成を示す側面図である。
【図５】図１等に示すレジシステムの親ユニットおよび子ユニットにおける硬貨入出金機の内部構成を示す側面図である。
【図６】図５に示す硬貨入出金機の内部構成を示す正面図である。
【図７】図１等に示すレジシステムの親ユニットの紙幣入出金機からＡＴＭ出金を行う際の動作を説明するための図である。
【図８】図１等に示すレジシステムの親ユニットの紙幣入出金機に収納された紙幣を子ユニットの紙幣入出金機に準備金として補充する補充処理の動作を説明するための図である。
【図９】図１等に示すレジシステムの子ユニットの紙幣入出金機に収納された紙幣を回収して親ユニットの紙幣入出金機に収納する回収処理の動作を説明するための図である。
【発明を実施するための形態】
【００２１】
以下、図面を参照して本発明の実施の形態について説明する。図１乃至図９は、本実施の形態に係るレジシステムを示す図である。このうち、図１は、本実施の形態によるレジシステムの構成の概略を示す上面図であり、図２は、図１等に示すレジシステムの概略的な機能ブロック図である。また、図３および図４は、それぞれ、親ユニットおよび子ユニットにおける紙幣入出金機の内部構成を示す側面図である。また、図５および図６は、硬貨入出金機の内部構成を示す側面図および正面図である。また、図７は、親ユニットの紙幣入出金機からＡＴＭ出金を行う際の動作を説明するための図であり、図８は、親ユニットの紙幣入出金機に収納された紙幣を子ユニットの紙幣入出金機に準備金として補充する補充処理の動作を説明するための図である。また、図９は、子ユニットの紙幣入出金機に収納された紙幣を回収して親ユニットの紙幣入出金機に収納する回収処理の動作を説明するための図である。
【００２２】
本実施の形態によるレジシステム１０は、百貨店やスーパーマーケット、コンビニエンスストア等の小売業の店舗等において、キャッシャー（店員）が顧客との間で紙幣や硬貨のやりとりを行う精算所に設置されている。具体的には、本実施の形態によるレジシステム１０において、顧客が商品の精算を行う際に、顧客が商品をキャッシャーに手渡し、キャッシャーはスキャナーにより商品のスキャンを行い商品の合計金額を確認した後、顧客が紙幣や硬貨を支払い、その後、顧客が支払った金額と商品の合計金額との差の金額である釣銭を顧客が受け取るようになっている。
【００２３】
図１に示すようなレジシステム１０では、直線状に延びるカウンター１１が設けられており、このカウンター１１には、３つのレジユニットが設けられている。ここで、３つのレジユニットは、１つの親ユニット（マスターユニット）２０および２つの子ユニット（スレーブユニット）３０から構成されている。図１に示す例では、２つの子ユニット３０の間に親ユニット２０が設置されている。図１および図２に示すように、親ユニット２０は、親ＰＯＳレジスター２２、紙幣入出金機２４および硬貨入出金機２６から構成されている。また、各子ユニット３０は、子ＰＯＳレジスター３２、紙幣入出金機３４および硬貨入出金機３６から構成されている。本実施の形態では、図２に示すように、親ユニット２０において、紙幣入出金機２４および硬貨入出金機２６により貨幣精算装置２８が構成されている。また、子ユニット３０において、紙幣入出金機３４および硬貨入出金機３６により貨幣精算装置３８が構成されている。
【００２４】
図１に示すようなレジシステム１０では、親ユニット２０の硬貨入出金機２６および各子ユニット３０の硬貨入出金機３６はそれぞれ図１におけるカウンター１１の左側、すなわち顧客側を向いている。一方、親ユニット２０の紙幣入出金機２４および各子ユニット３０の紙幣入出金機３４はそれぞれ図１におけるカウンター１１の右側、すなわちキャッシャー側を向いている。また、カウンター１１上において、親ＰＯＳレジスター２２や各子ＰＯＳレジスター３２の近傍には、スキャナー（図示せず）がそれぞれ設けられている。これらのスキャナーは、対応する親ＰＯＳレジスター２２や各子ＰＯＳレジスター３２にそれぞれ通信接続されている。そして、各スキャナーによりスキャンされた商品情報は、対応する親ＰＯＳレジスター２２や各子ＰＯＳレジスター３２にそれぞれ送られるようになっている。
【００２５】
図１に示すようなレジシステム１０では、各レジユニット（親ユニット２０および子ユニット３０）はそれぞれセミセルフ形式となっている。すなわち、キャッシャーがスキャナーにより商品のスキャンを行った後、顧客は親ユニット２０の硬貨入出金機２６や各子ユニット３０の硬貨入出金機３６への硬貨の入金を自ら行うとともに、釣銭として各硬貨入出金機２６、３６から出金された硬貨を顧客自らが取り出すようになる。一方、親ユニット２０における親ＰＯＳレジスター２２、スキャナーおよび紙幣入出金機２４、ならびに子ユニット３０における子ＰＯＳレジスター３２、スキャナーおよび紙幣入出金機３４はそれぞれキャッシャーにより操作されるようになっている。
【００２６】
図２は、図１に示すレジシステム１０の概略的な機能ブロック図である。図２に示すように、レジシステム１０には在高管理ターミナル５０が設けられており、この在高管理ターミナル５０にはＬＡＮ４０を介して親ユニット２０における親ＰＯＳレジスター２２および貨幣精算装置２８が通信接続されている。また、子ユニット３０における子ＰＯＳレジスター３２および貨幣精算装置３８もＬＡＮ４０を介して在高管理ターミナル５０に通信接続されている。在高管理ターミナル５０は、親ユニット２０の貨幣精算装置２８の在高および子ユニット３０の貨幣精算装置３８の在高をそれぞれ管理するようになっている。また、レジシステム１０にはＰＯＳサーバー５２が設けられており、このＰＯＳサーバー５２は、ＬＡＮ４０を介して、在高管理ターミナル５０、親ユニット２０における親ＰＯＳレジスター２２および貨幣精算装置２８、ならびに子ユニット３０における子ＰＯＳレジスター３２および貨幣精算装置３８等にそれぞれ通信接続されている。
【００２７】
また、図２に示すように、レジシステム１０のＬＡＮ４０には、銀行のＡＴＭ網６２を介して銀行ホスト６０が接続されている。このことにより、銀行ホスト６０と在高管理ターミナル５０との間で、銀行のＡＴＭ網６２およびＬＡＮ４０を介して信号の送受信を行うことができるようになっている。この際に、親ユニット２０は銀行のＡＴＭ網６２に通信接続されるようになる。
【００２８】
次に、親ユニット２０の紙幣入出金機２４の構成について図３を用いて説明する。図３は、親ユニット２０の紙幣入出金機２４の内部構成を示す構成図である。より詳細には、図３（ａ）は、入金部１０２に紙幣受入ユニット１０２ａが装着されているときの状態を示す図であり、図３（ｂ）は、入金部１０２に現金搬送カセット１３５が装着されているときの状態を示す図である。
【００２９】
図３（ａ）に示すように、紙幣入出金機２４の筐体１００の前面（図３における右側の側面）には入金部１０２および出金部１１０がそれぞれ設けられている。入金部１０２には紙幣受入ユニット１０２ａが着脱自在に装着されている。ここで、紙幣受入ユニット１０２ａは、入金部１０２に装着されたときに紙幣入出金機２４の外部から紙幣を受け入れて１枚ずつ筐体１００内に繰り出すようになっている。このような紙幣受入ユニット１０２ａは、キャッシャーが紙幣入出金機２４へ紙幣を直接入金する場合に用いられるようになっている。なお、図３（ｂ）に示すように、入金部１０２には、紙幣受入ユニット１０２ａの代わりに、現金搬送カセット１３５を装着することができるようになっている。現金搬送カセット１３５が入金部１０２に装着されたときには、この現金搬送カセット１３５の内部に設けられた繰出機構により現金搬送カセット１３５内の紙幣が１枚ずつ筐体１００内に繰り出されるようになっている。現金搬送カセット１３５は、親ユニット２０の紙幣入出金機２４と子ユニット３０の紙幣入出金機３４との間で紙幣を搬送する際に用いられるようになっている。また、この現金搬送カセット１３５が親ユニット２０の紙幣入出金機２４や子ユニット３０の紙幣入出金機３４から取り外されたときには、この現金搬送カセット１３５に収納された紙幣を当該現金搬送カセット１３５から外部に取り出すことができないようになっている。
【００３０】
図３に示すように、紙幣入出金機２４の筐体１００内には紙幣を１枚ずつ搬送する搬送部１１４が設けられており、この搬送部１１４の端部１１４ａに、前述した入金部１０２が設けられている。そして、紙幣受入ユニット１０２ａや現金搬送カセット１３５が入金部１０２に装着されたときに、これらの紙幣受入ユニット１０２ａや現金搬送カセット１３５から繰り出された紙幣は搬送部１１４の端部１１４ａを介して当該搬送部１１４により搬送されるようになっている。
【００３１】
図３に示すように、搬送部１１４には識別部１１６が設けられており、この識別部１１６によって、搬送部１１４により搬送される紙幣の金種、正損、真偽等の識別を行うようになっている。
【００３２】
また、紙幣入出金機２４の筐体１００の下部には金庫１３０が設置されており、この金庫１３０の内部には複数（具体的には例えば５つ）の収納繰出部１２０が設けられている。各収納繰出部１２０にはそれぞれ搬送部１１４に接続されており、搬送部１１４から各収納繰出部１２０に紙幣が金種別に送られてこれらの収納繰出部１２０に収納されるようになっている。また、各収納繰出部１２０に収納された紙幣は搬送部１１４に１枚ずつ繰出可能となっている。各収納繰出部１２０は、図３に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００３３】
また、金庫１３０内には回収カセット１２６が設けられており、この回収カセット１２６にも搬送部１１４が接続されている。そして、搬送部１１４から回収カセット１２６に紙幣が送られると、この回収カセット１２６の内部に紙幣が集積されるようになる。
【００３４】
図３に示すように、金庫１３０にはダイヤルロック１３２が設けられており、銀行の収集特定者等の特定の権限を有する者のみがこのダイヤルロック１３２を操作して金庫１３０を開けることができるようになっている。金庫１３０が開けられると、特定の権限を有する者により回収カセット１２６内の紙幣が回収カセット１２６ごと回収されるようになる。
【００３５】
このように、本実施の形態では、紙幣入出金機２４の各収納繰出部１２０は、銀行の収集特定者等の特定の権限を有する者のみがアクセスすることができる金庫１３０内に配置されている。そして、この紙幣入出金機２４の各収納繰出部１２０に収納された紙幣は、銀行の管理権限下となっている。このようにして、親ユニット２０の紙幣入出金機２４は、銀行のＡＴＭ機としても機能するようになっている。
【００３６】
また、図３に示すように、紙幣入出金機２４には、機外リジェクト部１１７および機内リジェクト部１１８がそれぞれ設けられている。ここで、機外リジェクト部１１７には、入金部１０２により筐体１００内に取り込まれた紙幣のうち識別部１１６により正常な紙幣ではないと識別された紙幣がリジェクト紙幣として搬送部１１４から送られるようになっており、この機外リジェクト部１１７によりリジェクト紙幣を紙幣入出金機２４の外部に投出するようになっている。一方、機内リジェクト部１１８には、紙幣入出金機２４の外部に投出することのできないようなリジェクト紙幣が搬送部１１４から送られるようになっており、この機内リジェクト部１１８にリジェクト紙幣を収納するようになっている。そして、キャッシャー等の管理権限のない操作者は機内リジェクト部１１８内の紙幣を取り出すことはできないようになっている。
【００３７】
次に、子ユニット３０の紙幣入出金機３４の構成について図４を用いて説明する。図４は、子ユニット３０の紙幣入出金機３４の内部構成を示す構成図である。
【００３８】
図４に示すように、子ユニット３０の紙幣入出金機３４の筐体１５０の前面（図４における右側の側面）には入金部１５２および出金部１６０が設けられている。入金部１５２には入金部カバー１５２ａおよび紙幣繰出機構１５２ｂが設けられており、キャッシャーが紙幣入出金機３４へ紙幣を直接入金する場合には、紙幣を積層状態で入金部１５２にセットし、入金部１５２にセットされた紙幣を入金部カバー１５２ａにより上方から押さえつけた後、紙幣繰出機構１５２ｂにより紙幣が１枚ずつ筐体１５０内に繰り出されるようになっている。また、紙幣入出金機３４の筐体１５０内には搬送部１６４が設けられており、この搬送部１６４は、紙幣繰出機構１５２ｂにより筐体１５０内に繰り出された紙幣を１枚ずつ搬送するようになっている。搬送部１６４には識別部１６６が設けられており、紙幣繰出機構１５２ｂにより筐体１５０内に繰り出された紙幣は識別部１６６によりその金種、正損、真偽等が識別されるようになっている。
【００３９】
また、筐体１５０内において複数の収納繰出部１７０が設けられており、各収納繰出部１７０はそれぞれ搬送部１６４に接続されている。各収納繰出部１７０は、紙幣を金種別に収納するようになっている。より詳細には、識別部１６６による識別結果に基づいて、紙幣繰出機構１５２ｂにより筐体１５０内に繰り出された紙幣は搬送部１６４により各収納繰出部１７０に金種別に送られるようになっている。また、各収納繰出部１７０は、当該収納繰出部１７０に収納された紙幣を１枚ずつ搬送部１６４に繰り出すことができるようになっている。各収納繰出部１７０は、図４に示すような紙幣を１枚ずつ一対のテープ間に挟み込んだ状態で当該テープを紙幣とともに巻き取るテープリール式の収納繰出部であってもよく、あるいは、紙幣を積み重ねて収納するスタッカ式の収納繰出部（図示せず）であってもよい。
【００４０】
なお、本実施の形態では、親ユニット２０の紙幣入出金機２４には、子ユニット３０の紙幣入出金機３４よりも多くの量の紙幣を収納することができるようになっている。より具体的には、親ユニット２０の紙幣入出金機２４の収納繰出部１２０の紙幣収納量と、子ユニット３０の紙幣入出金機３４の収納繰出部１７０の紙幣収納量とは略同一となっているが、親ユニット２０の紙幣入出金機２４には収納繰出部１２０が５つ設けられているのに対し、子ユニット３０の紙幣入出金機３４には収納繰出部１７０が３つしか設けられていないので、親ユニット２０の紙幣入出金機２４全体の紙幣収納量は、子ユニット３０の紙幣入出金機３４全体の紙幣収納量よりも大きくなる。
【００４１】
また、図４に示すように、筐体１５０内において、現金搬送カセット１３５が着脱自在に装着されるカセット装着部１８０が設けられている。カセット装着部１８０は搬送部１６４に接続されており、カセット装着部１８０に現金搬送カセット１３５が装着されたときに、搬送部１６４から現金搬送カセット１３５に紙幣を送ることができるとともに、現金搬送カセット１３５に収納された紙幣を搬送部１６４に繰り出すことができるようになっている。
【００４２】
また、出金部１６０には出金部シャッター１６０ａが設けられている。紙幣が出金部１６０に送られた後、キャッシャーは出金部シャッター１６０ａを開くことにより、出金部１６０に集積された紙幣を取り出すことができるようになっている。
【００４３】
次に、親ユニット２０の硬貨入出金機２６および子ユニット３０の硬貨入出金機３６の構成の詳細について図５および図６を用いて説明する。本実施の形態では、親ユニット２０の硬貨入出金機２６および子ユニット３０の硬貨入出金機３６は略同一の構成となっている。
【００４４】
図５は、硬貨入出金機２６、３６の内部構成を示す側面図であり、図６は、図５に示す硬貨入出金機２６、３６の正面図である。
【００４５】
図５および図６に示すように、硬貨入出金機２６、３６は、略直方体形状の筐体２１２と、筐体２１２外から硬貨を受け入れる硬貨受入口２１４（図６参照）と、硬貨受入口２１４に受け入れられた硬貨が送られて貯留されるとともに貯留された硬貨を１枚ずつ繰り出す貯留繰出機構２３０とを備えている。貯留繰出機構２３０は、鉛直方向に対して所定角度で傾斜しており傾斜姿勢で回転させられる回転円盤２３２と、この回転円盤２３２の表面２３２ｂとの間に硬貨を貯留する硬貨貯留空間２３３を形成するカバー部材２３４と、を備えている。
【００４６】
また、筐体２１２内において、貯留繰出機構２３０から繰り出された硬貨を１枚ずつ搬送する入金搬送部２２０が設けられており、この入金搬送部２２０には、当該入金搬送部２２０により搬送される硬貨の識別を行う識別部２２２が設けられている。入金搬送部２２０には無端状ベルト２２０ｐが設けられている。無端状ベルト２２０ｐは複数のプーリに張架されており、一のプーリに取り付けられたモータにより無端状ベルト２２０ｐは図５における反時計回りの方向に循環移動させられるようになっている。また、この無端状ベルト２２０ｐには複数の突起部材（図示せず）が等間隔で設けられており、一の突起部材に硬貨が１枚引っ掛けられることにより、搬送面上で硬貨が１枚ずつ搬送させられるようになっている。
【００４７】
また、筐体２１２内において入金搬送部２２０の下方には複数（具体的には８つ）の収納繰出機構２５０が設けられている。各収納繰出機構２５０は、識別部２２２による硬貨の識別結果に基づいて、入金搬送部２２０に設けられた選別部２２４によりシュート２２６を介して当該入金搬送部２２０から硬貨が送られて収納されるようになっている。また、各収納繰出機構２５０は、当該収納繰出機構２５０に収納された硬貨を１枚ずつ繰り出すようになっている。より詳細には、各収納繰出機構２５０は、鉛直方向に対して所定角度で傾斜しており傾斜姿勢で回転させられる回転円盤２５２と、この回転円盤２５２の表面２５２ｂとの間に硬貨を収納する硬貨収納空間２５３を形成するカバー部材２５４と、を備えている。
【００４８】
また、硬貨入出金機２６、３６には、筐体２１２外へ硬貨を投出する硬貨投出口２１８が設けられており、筐体２１２内には、各収納繰出機構２５０から繰り出された硬貨を硬貨投出口２１８に搬送する出金搬送部２７０が設けられている。出金搬送部２７０は、各収納繰出機構２５０の下方に設けられ略水平方向に沿って延びる第１の出金搬送部分２７０ａと、第１の出金搬送部分２７０ａから送られた硬貨を硬貨投出口２１８に搬送する第２の出金搬送部分２７０ｂとを有している。また、出金搬送部２７０は、複数のプーリに張架された無端状ベルト２７０ｐから構成されている。そして、一のプーリに取り付けられたモータにより無端状ベルト２７０ｐは図５における時計回りおよび反時計回りの両方向に循環移動させられるようになっている。無端状ベルト２７０ｐには複数の突起部材（図示せず）が等間隔で設けられており、一の突起部材に硬貨が１枚以上引っ掛けられることにより、無端状ベルト２７０ｐにより硬貨が１枚以上ずつ搬送させられるようになっている。
【００４９】
また、筐体２１２内において、出金搬送部２７０の下方には回収ボックス２８０が設けられている。回収ボックス２８０は筐体２１２に対して着脱自在に設けられている。また、回収ボックス２８０には出金搬送部２７０における第１の出金搬送部分２７０ａから回収用の硬貨が送られるようになっている。そして、回収ボックス２８０に硬貨が収納された後、筐体２１２から回収ボックス２８０を取り出すことにより、硬貨を回収ボックス２８０ごと回収することができるようになっている。
【００５０】
次に、このような構成からなるレジシステム１０における動作について以下に説明する。本実施の形態のレジシステム１０により精算処理を行う際には、親ユニット２０または子ユニット３０において顧客はまず精算すべき商品をキャッシャーに手渡し、キャッシャーはスキャナー（図示せず）により商品のスキャンを行う。スキャナーによりスキャンされた商品情報は親ＰＯＳレジスター２２または子ＰＯＳレジスター３２に送られ、親ＰＯＳレジスター２２または子ＰＯＳレジスター３２の表示画面（図示せず）で商品の合計金額が表示される。その後、顧客は硬貨を硬貨入出金機２６、３６に直接入金するとともに、紙幣をキャッシャーに手渡し、キャッシャーは顧客から手渡された紙幣を紙幣入出金機２４、３４に入金する。
【００５１】
その後、親ＰＯＳレジスター２２または子ＰＯＳレジスター３２は、硬貨入出金機２６、３６および紙幣入出金機２４、３４に入金された硬貨および紙幣の合計入金金額に基づいて、釣銭の金額を算出する。そして、硬貨入出金機２６、３６および紙幣入出金機２４、３４からそれぞれ硬貨および紙幣が釣銭として出金されるが、硬貨入出金機２６、３６から出金された硬貨は顧客が自ら取り出し、紙幣入出金機２４、３４から出金された紙幣はキャッシャーが取り出した後、キャッシャーが顧客に手渡すようになる。このようにして、顧客とキャッシャーとの間で行われる精算処理の一連の動作が終了する。
【００５２】
本実施の形態のレジシステム１０では、閑散期には主に親ユニット２０で精算処理を行うようにする。親ユニット２０の紙幣入出金機２４は銀行のＡＴＭとしても機能するようになっているので、この紙幣入出金機２４に入金された紙幣は、ＡＴＭ入金とすることができ、このため顧客から受け取った紙幣を安全に管理することができるようになる。一方、繁忙期には親ユニット２０および子ユニット３０の両方で精算処理を行うようになるが、この場合には、店舗の営業時間が終了して締め処理を行う際に、子ユニット３０の紙幣入出金機３４に収納された紙幣を回収して親ユニット２０の紙幣入出金機２４に収納する回収処理を行う。このようにして、子ユニット３０の紙幣入出金機３４に収納された紙幣についても、親ユニット２０の紙幣入出金機２４にＡＴＭ入金するようになる。なお、このような回収処理の動作の詳細については後述する。
【００５３】
また、本実施の形態では、前述したように、親ユニット２０の紙幣入出金機２４は、銀行のＡＴＭ機としても機能するようになっている。このような親ユニット２０の紙幣入出金機２４からＡＴＭ出金を行う際の動作について図７を用いて説明する。
【００５４】
通常精算時において、顧客のカード番号等の情報および出金すべき金額に係る情報が親ユニット２０の親ＰＯＳレジスター２２に入力されると、親ユニット２０の紙幣入出金機２４の各収納繰出部１２０に収納された紙幣がこの紙幣入出金機２４から出金される（図７の符号（ａ）参照）。この際に、親ＰＯＳレジスター２２から在高管理ターミナル５０に、紙幣入出金機２４から出金された紙幣に関する情報（以下、ＡＴＭ出金情報ともいう。具体的には、出金された紙幣の金種毎の枚数や合計金額等の情報がＡＴＭ出金情報となる）が送信される（図７の符号（ｂ）参照）。そして、在高管理ターミナル５０から銀行のＡＴＭ網６２にＡＴＭ出金情報が送信され、最終的に銀行のＡＴＭ網６２から銀行ホスト６０にＡＴＭ出金情報が送信されるようになる（図７の符号（ｃ）参照）。このようにして、親ユニット２０の紙幣入出金機２４から紙幣が出金される際に、ＡＴＭ出金情報が親ユニット２０の親ＰＯＳレジスター２２から在高管理ターミナル５０を介して銀行のＡＴＭ網６２に送信される。なお、図７に示す態様では、ＡＴＭ出金情報は親ユニット２０の親ＰＯＳレジスター２２から在高管理ターミナル５０を介して銀行のＡＴＭ網６２に送信されているが、他の態様として、ＡＴＭ出金情報が親ユニット２０の親ＰＯＳレジスター２２から（在高管理ターミナル５０を経ずに）銀行のＡＴＭ網６２に直接的に送られるようになっていてもよい。
【００５５】
また、本実施の形態では、親ユニット２０は子ユニット３０に対して、親ユニット２０の紙幣入出金機２４に収納された紙幣を子ユニット３０の紙幣入出金機３４に補充する補充処理、および子ユニット３０の紙幣入出金機３４に収納された紙幣を回収して親ユニット２０の紙幣入出金機２４に収納する回収処理を行うようになっている。このような補充処理および回収処理は、図８および図９に示すような出納管理ターミナル５１により行われるようになっている。出納管理ターミナル５１は、在高管理ターミナル５０に設けられていてもよいし、あるいは親ユニット２０の親ＰＯＳレジスター２２に設けられていてもよい。
【００５６】
親ユニット２０の紙幣入出金機２４に収納された紙幣を子ユニット３０の紙幣入出金機３４に準備金として補充する補充処理の動作について図８を用いて説明する。
【００５７】
補充処理を行うにあたり、まず、親ユニット２０の紙幣入出金機２４の各収納繰出部１２０に収納された紙幣をこの紙幣入出金機２４から出金する（図８の符号（ａ）参照）。具体的には、紙幣入出金機２４の各収納繰出部１２０から搬送部１１４に紙幣を繰り出し、繰り出された紙幣を搬送部１１４により出金部１１０に搬送することにより、キャッシャーは出金部１１０に集積された紙幣を取り出すことができるようになる。なお、他の出金方法としては、入金部１０２に現金搬送カセット１３５を装着した後、紙幣入出金機２４の各収納繰出部１２０から搬送部１１４に紙幣を繰り出し、繰り出された紙幣を搬送部１１４により現金搬送カセット１３５に搬送するようにしてもよい。この場合には、準備金としての紙幣が現金搬送カセット１３５に収納された後、キャッシャーは現金搬送カセット１３５ごと紙幣を親ユニット２０から子ユニット３０に搬送するようになる。
【００５８】
また、親ユニット２０の紙幣入出金機２４から紙幣を出金する際に、親ＰＯＳレジスター２２から出納管理ターミナル５１に、紙幣入出金機２４から出金された紙幣に関する情報（以下、出金情報ともいう。具体的には、出金された紙幣の金種毎の枚数や合計金額等の情報が出金情報となる）が送信される（図８の符号（ｂ）参照）。出納管理ターミナル５１は、親ＰＯＳレジスター２２から出金情報を受け取ると、子ユニット３０の子ＰＯＳレジスター３２に対して入金待ち指示を送信する（図８の符号（ｃ）参照）。このことにより、子ユニット３０の紙幣入出金機３４は、通常の精算モードから入金待ちモードに切り換わるようになる。このような入金待ちモードでは、親ユニット２０の紙幣入出金機２４から出金された準備金としての紙幣が子ユニット３０の紙幣入出金機３４に入金されるまで、この子ユニット３０の紙幣入出金機３４では他の処理を行うことができないようになる。
【００５９】
その後、キャッシャーは子ユニット３０の紙幣入出金機３４に紙幣を入金する（図８の符号（ｄ）参照）。具体的には、親ユニット２０の紙幣入出金機２４の出金部１１０から紙幣が取り出され、この紙幣がキャッシャーにより親ユニット２０から子ユニット３０に搬送された場合には、キャッシャーはこの紙幣を子ユニット３０の紙幣入出金機３４における入金部１５２に積層状態でセットする。そして、入金部１５２にセットされた紙幣は紙幣繰出機構１５２ｂにより１枚ずつ筐体１５０内に繰り出され、識別部１６６により識別された後、金種別に各収納繰出部１７０に収納されるようになる。一方、キャッシャーが現金搬送カセット１３５ごと紙幣を親ユニット２０から子ユニット３０に搬送した場合には、キャッシャーはこの現金搬送カセット１３５を子ユニット３０の紙幣入出金機３４におけるカセット装着部１８０に装着する。そして、カセット装着部１８０に現金搬送カセット１３５が装着されると、現金搬送カセット１３５に収納された紙幣は搬送部１６４に繰り出され、金種別に各収納繰出部１７０に収納されるようになる。
【００６０】
子ユニット３０の紙幣入出金機３４に紙幣が入金されると、子ユニット３０の子ＰＯＳレジスター３２は、紙幣入出金機３４に入金された紙幣に関する情報（以下、入金情報ともいう。具体的には、入金された紙幣の金種毎の枚数や合計金額等の情報、あるいは入金ステータスが入金情報となる）を出納管理ターミナル５１に送信する（図８の符号（ｅ）参照）。ここで、入金ステータスとして、親ユニット２０の紙幣入出金機２４から出金された紙幣の合計金額と子ユニット３０の紙幣入出金機３４に入金された紙幣の合計金額とが等しい場合には「入金完了」となり、子ユニット３０の紙幣入出金機３４に入金された紙幣の合計金額が親ユニット２０の紙幣入出金機２４から出金された紙幣の合計金額に対して不足する場合や、予め設定された時間内に子ユニット３０の紙幣入出金機３４への入金動作が開始されなかった場合には「入金未完了」となる。
【００６１】
出納管理ターミナル５１は、子ユニット３０の子ＰＯＳレジスター３２から入金情報を受け取ると、子ユニット３０の子ＰＯＳレジスター３２に対して入金待ち解除指示を送信する（図８の符号（ｆ）参照）。このことにより、子ユニット３０の紙幣入出金機３４は、入金待ちモードから通常の精算モードに切り換わるようになる。また、出納管理ターミナル５１は、親ユニット２０の親ＰＯＳレジスター２２に対してＡＴＭ出金確認指示を送信する（図８の符号（ｇ）参照）。ここで、ＡＴＭ出金確認指示とは、親ユニット２０の紙幣入出金機２４からの紙幣の出金動作が、ＡＴＭとして機能する紙幣入出金機２４からのＡＴＭ出金であることを確認するための指示である。そして、親ユニット２０の親ＰＯＳレジスター２２は、出納管理ターミナル５１からＡＴＭ出金確認指示を受け取ると、銀行のＡＴＭ網６２にＡＴＭ出金情報（具体的には、出金された紙幣の金種毎の枚数や合計金額等の情報）を送信し、最終的に銀行のＡＴＭ網６２から銀行ホスト６０にＡＴＭ出金情報が送信されるようになる（図８の符号（ｈ）参照）。このようにして、親ユニット２０の紙幣入出金機２４に収納された紙幣を子ユニット３０の紙幣入出金機３４に補充する補充処理が行われる際に、ＡＴＭ出金情報が親ユニット２０の親ＰＯＳレジスター２２から銀行のＡＴＭ網６２に送信されるようになる。なお、図８に示す態様では、ＡＴＭ出金情報が親ユニット２０の親ＰＯＳレジスター２２から銀行のＡＴＭ網６２に直接的に送信されているが、他の態様として、このようなＡＴＭ出金情報が出納管理ターミナル５１から銀行のＡＴＭ網６２に送られるようになっていてもよい。
【００６２】
次に、子ユニット３０の紙幣入出金機３４に収納された紙幣を回収して親ユニット２０の紙幣入出金機２４に収納する回収処理の動作について図９を用いて説明する。前述のように、親ユニット２０の紙幣入出金機２４は銀行のＡＴＭ機としても機能するようになっており、このような回収処理の動作を行うことにより子ユニット３０の紙幣入出金機３４に収納された紙幣が銀行の口座に預金されるようになるので紙幣を安全に管理することができるようになる。
【００６３】
回収処理を行うにあたり、まず、子ユニット３０の紙幣入出金機３４の各収納繰出部１７０に収納された紙幣をこの紙幣入出金機３４から出金する（図９の符号（ａ）参照）。具体的には、紙幣入出金機３４の各収納繰出部１７０から搬送部１６４に紙幣を繰り出し、繰り出された紙幣を搬送部１６４により出金部１６０に搬送することにより、キャッシャーは出金部１６０に集積された紙幣を手動で取り出すことができるようになる。なお、他の出金方法としては、カセット装着部１８０に現金搬送カセット１３５を装着した後、紙幣入出金機３４の各収納繰出部１７０から搬送部１６４に紙幣を繰り出し、繰り出された紙幣を搬送部１６４により現金搬送カセット１３５に搬送するようにしてもよい。この場合には、回収されるべき紙幣が現金搬送カセット１３５に収納された後、キャッシャーは現金搬送カセット１３５ごと紙幣を子ユニット３０から親ユニット２０に搬送するようになる。
【００６４】
また、子ユニット３０の紙幣入出金機３４から紙幣を回収する際に、子ＰＯＳレジスター３２から出納管理ターミナル５１に、紙幣入出金機３４から回収された紙幣に関する情報（以下、回収情報ともいう。具体的には、回収された紙幣の金種毎の枚数や合計金額等の情報が回収情報となる）が送信される（図９の符号（ｂ）参照）。出納管理ターミナル５１は、子ＰＯＳレジスター３２から出金情報を受け取ると、親ユニット２０の親ＰＯＳレジスター２２に対して入金待ち指示を送信する（図９の符号（ｃ）参照）。このことにより、親ユニット２０の紙幣入出金機２４は、通常の精算モードから入金待ちモードに切り換わるようになる。このような入金待ちモードでは、子ユニット３０の紙幣入出金機３４から回収された紙幣が親ユニット２０の紙幣入出金機２４に入金されるまで、この親ユニット２０の紙幣入出金機２４では他の処理を行うことができないようになる。
【００６５】
その後、キャッシャーは親ユニット２０の紙幣入出金機２４に紙幣を入金する（図９の符号（ｄ）参照）。具体的には、子ユニット３０の紙幣入出金機３４の出金部１６０から紙幣が取り出され、この紙幣がキャッシャーにより子ユニット３０から親ユニット２０に搬送された場合には、キャッシャーは親ユニット２０の紙幣入出金機２４の入金部１０２に紙幣受入ユニット１０２ａを装着し（図４（ａ）参照）、子ユニット３０から親ユニット２０に搬送された紙幣をこの紙幣受入ユニット１０２ａにセットする。そして、紙幣受入ユニット１０２ａにセットされた紙幣は１枚ずつ筐体１００内に繰り出され、識別部１１６により識別された後、金種別に各収納繰出部１２０に収納されるようになる。一方、キャッシャーが現金搬送カセット１３５ごと紙幣を子ユニット３０から親ユニット２０に搬送した場合には、キャッシャーはこの現金搬送カセット１３５を親ユニット２０の紙幣入出金機２４における入金部１０２に装着する（図４（ｂ）参照）。そして、入金部１０２に現金搬送カセット１３５が装着されると、現金搬送カセット１３５に収納された紙幣は搬送部１１４に繰り出され、識別部１１６により識別された後、金種別に各収納繰出部１２０に収納されるようになる。
【００６６】
親ユニット２０の紙幣入出金機２４に紙幣が入金されると、親ユニット２０の親ＰＯＳレジスター２２は、紙幣入出金機２４に入金された紙幣に関する情報（以下、入金情報ともいう。具体的には、入金された紙幣の金種毎の枚数や合計金額等の情報、あるいは入金ステータスが入金情報となる）を出納管理ターミナル５１に送信する（図９の符号（ｅ）参照）。ここで、入金ステータスとして、子ユニット３０の紙幣入出金機３４から回収された紙幣の合計金額と親ユニット２０の紙幣入出金機２４に入金された紙幣の合計金額とが等しい場合には「入金完了」となり、親ユニット２０の紙幣入出金機２４に入金された紙幣の合計金額が子ユニット３０の紙幣入出金機３４から出金された紙幣の合計金額に対して不足する場合や、予め設定された時間内に親ユニット２０の紙幣入出金機２４への入金動作が開始されなかった場合には「入金未完了」となる。
【００６７】
出納管理ターミナル５１は、親ユニット２０の親ＰＯＳレジスター２２から入金情報を受け取ると、親ユニット２０の親ＰＯＳレジスター２２に対して入金待ち解除指示を送信する（図９の符号（ｆ）参照）。このことにより、親ユニット２０の紙幣入出金機２４は、入金待ちモードから通常の精算モードに切り換わるようになる。また、出納管理ターミナル５１は、銀行のＡＴＭ網６２にＡＴＭ入金情報（具体的には、紙幣入出金機２４に入金された紙幣の金種毎の枚数や合計金額等の情報）を送信し、最終的に銀行のＡＴＭ網６２から銀行ホスト６０にＡＴＭ入金情報が送信されるようになる（図９の符号（ｇ）参照）。このようにして、子ユニット３０の紙幣入出金機３４に収納された紙幣を回収して親ユニット２０の紙幣入出金機２４に収納する回収処理が行われる際に、ＡＴＭ入金情報が親ユニット２０の親ＰＯＳレジスター２２から出納管理ターミナル５１を介して銀行のＡＴＭ網６２に送信されるようになる。なお、図９に示す態様では、ＡＴＭ出金情報は親ユニット２０の親ＰＯＳレジスター２２から出納管理ターミナル５１を介して銀行のＡＴＭ網６２に送信されているが、他の態様として、ＡＴＭ出金情報が親ユニット２０の親ＰＯＳレジスター２２から（出納管理ターミナル５１を経ずに）銀行のＡＴＭ網６２に直接的に送られるようになっていてもよい。
【００６８】
なお、図８および図９に示すような紙幣の補充処理や回収処理は出納管理ターミナル５１により行われるようになっているが、このような態様に限定されることはない。出納管理ターミナル５１の設置が省略され、代わりに在高管理ターミナル５０により図８および図９に示すような紙幣の補充処理や回収処理が行われるようになっていてもよい。あるいは、親ユニット２０の親ＰＯＳレジスター２２により、図８および図９に示すような紙幣の補充処理や回収処理が行われるようになっていてもよい。これらの場合でも、親ユニット２０の紙幣入出金機２４から出金された紙幣の出金情報（ＡＴＭ出金情報）や、親ユニット２０の紙幣入出金機２４に入金された紙幣の入金情報（ＡＴＭ出金情報）は、親ユニット２０から銀行のＡＴＭ網６２に送信されるようになる。
【００６９】
以上のように本実施の形態のレジシステム１０によれば、複数のレジユニットは、親ユニット２０および子ユニット３０からなり、親ユニット２０の紙幣入出金機２４は、特定の権限を有する者のみが内部にアクセスすることができる金庫１３０内に配置された収納繰出部１２０を有している。このように、親ユニット２０の紙幣入出金機２４の収納繰出部１２０のみを、特定の権限を有する者のみが内部にアクセスすることができる金庫１３０内に配置することにより、全ての紙幣入出金機２４、３４の収納繰出部１２０、１７０を金庫内に配置する場合と比較してコストを低減することができる。また、閑散期には主に親ユニット２０の紙幣入出金機２４で精算処理を行うことにより、顧客から受け取った紙幣を安全に管理することができる。
【００７０】
また、上述したように、親ユニット２０の紙幣入出金機２４には、子ユニット３０の紙幣入出金機３４よりも多くの量の紙幣を収納することができるようになっている。このことにより、銀行のＡＴＭとしても機能する紙幣入出金機２４に多量の紙幣を収納することができるようになり、これらの多量の紙幣を安全に管理することができるようになる。
【００７１】
また、本実施の形態のレジシステム１０によれば、親ユニット２０は子ユニット３０に対して、親ユニット２０の紙幣入出金機２４に収納された紙幣を子ユニット３０の紙幣入出金機３４に補充する補充処理、および子ユニット３０の紙幣入出金機３４に収納された紙幣を回収して親ユニット２０の紙幣入出金機２４に収納する回収処理を行うことができるようになっている。このように、親ユニット２０が子ユニット３０に対して補充処理や回収処理を行うことにより、店舗の営業開始前における子ユニット３０の各紙幣入出金機３４に対する釣銭の補充作業や、店舗の営業終了後における子ユニット３０の各紙幣入出金機３４からの紙幣の回収作業を効率的に行うことができる。
【００７２】
また、本実施の形態のレジシステム１０においては、親ユニット２０および子ユニット３０にそれぞれ通信接続された在高管理ターミナル５０が設置されており、この在高管理ターミナル５０は、親ユニット２０の貨幣精算装置２８の在高および子ユニット３０の貨幣精算装置３８の在高をそれぞれ管理するようになっている。
【００７３】
また、本実施の形態のレジシステム１０においては、親ユニット２０は銀行のＡＴＭ網６２に通信接続されており、この銀行のＡＴＭ網６２を介して親ユニット２０は銀行ホスト６０に通信接続されている。
【００７４】
また、本実施の形態のレジシステム１０においては、図７に示すように、親ユニット２０の紙幣入出金機２４から紙幣が出金される際に、紙幣の出金情報が親ユニット２０から銀行のＡＴＭ網６２に送信されるようになっている。また、図８に示すように、親ユニット２０の紙幣入出金機２４に収納された紙幣を子ユニット３０の紙幣入出金機３４に補充する補充処理が行われる際に、親ユニット２０の紙幣入出金機２４から出金された紙幣の出金情報が親ユニット２０から銀行のＡＴＭ網６２に送信されるようになっている。また、図９に示すように、子ユニット３０の紙幣入出金機３４に収納された紙幣を回収して親ユニット２０の紙幣入出金機２４に収納する回収処理が行われる際に、親ユニット２０の紙幣入出金機２４に入金された紙幣の入金情報が親ユニット２０から銀行のＡＴＭ網６２に送信されるようになっている。
【００７５】
また、本実施の形態のレジシステム１０においては、親ユニット２０の紙幣入出金機２４に収納された紙幣は銀行の管理権限下となる。なお、本発明ではこのような態様に限定されることはなく、親ユニット２０の紙幣入出金機２４に収納された紙幣を、銀行の管理権限下ではなく店舗の管理権限下としてもよい。
【００７６】
なお、本実施の形態によるレジシステム１０は、上記の態様に限定されるものではなく、様々の変更を加えることができる。
【００７７】
上述した態様では、親ユニット２０の紙幣入出金機２４のみを銀行のＡＴＭとして機能させているが、親ユニット２０の硬貨入出金機２６も銀行のＡＴＭとして機能させるようにしてもよい。この場合は、親ユニット２０の硬貨入出金機２６における各収納繰出機構２５０を、特定の権限を有する者のみが内部にアクセスすることができる金庫内に配置し、この硬貨入出金機２６に収納された硬貨のセキュリティ性を高めるようにする。また、この場合には、当該硬貨入出金機２６に収納された硬貨も、紙幣入出金機２４に収納された紙幣と同様に銀行の管理権限下となる。
【００７８】
また、本実施の形態のレジシステム１０では、在高管理ターミナル５０の設置を省略することもできる。この場合には、親ユニット２０の親ＰＯＳレジスター２２が、親ユニット２０の貨幣精算装置２８の在高および子ユニット３０の貨幣精算装置３８の在高をそれぞれ管理するようになる。
【符号の説明】
【００７９】
１０  レジシステム
２０  親ユニット
２２  親ＰＯＳレジスター
２８  貨幣精算装置
３０  子ユニット
３２  子ＰＯＳレジスター
３８  貨幣精算装置
５０  在高管理ターミナル
６２  銀行のＡＴＭ網
１２０  収納繰出部
１３０  金庫
【図１】
0005955528.tif 000002
【図２】
0005955528.tif 000003
【図３】
0005955528.tif 000004
【図４】
0005955528.tif 000005
【図５】
0005955528.tif 000006
【図６】
0005955528.tif 000007
【図７】
0005955528.tif 000008
【図８】
0005955528.tif 000009
【図９】
0005955528.tif 000010